(57)【特許請求の範囲】
【請求項１】
制御部と記憶部と第１有線通信インターフェース部と第１無線通信インターフェース部とを少なくとも備えた第１通信機器と、
前記第１通信機器と有線及び無線により通信可能に接続される、制御部と記憶部と第２有線通信インターフェース部と第２無線通信インターフェース部とを少なくとも備えた第２通信機器と、
を備え、
前記第１通信機器の前記記憶部及び前記第２通信機器の前記記憶部は、夫々、
車両内に設けられた前記第１通信機器及び前記第２通信機器間で送受信される通信データの種別ごとに優先度を定めたデータ優先度情報を記憶するデータ優先度情報記憶部、
を備え、
前記第１通信機器の前記制御部は、
前記第１通信機器から前記第２通信機器へ送信する前記通信データの種別を判定するデータ種別判定部と、
前記第１通信機器の前記データ優先度情報記憶部に記憶された前記データ優先度情報を参照し、前記データ種別判定部により判定された前記通信データの種別に対応する前記優先度を特定する送信データ優先度特定部と、
前記送信データ優先度特定部により特定された前記優先度に基づいて、前記優先度の高い通信データと前記優先度の低い通信データとに分割するデータ分割部と、
前記データ分割部により分割された前記優先度の高い前記通信データを、有線通信可能な有線通信データとして生成する有線通信データ生成部と、
前記有線通信データ生成部により生成された前記有線通信データを、前記第１有線通信インターフェース部を介して前記第２通信機器へ送信する有線送信制御部と、
前記データ分割部により分割された前記優先度の低い前記通信データを、無線通信可能な無線通信データとして生成する無線通信データ生成部と、
前記無線通信データ生成部により生成された前記無線通信データを、前記第１無線通信インターフェース部を介して前記第２通信機器へ送信する無線送信制御部と、
を備え、
前記第２通信機器の前記制御部は、
前記第１通信機器から前記有線送信制御部により送信された前記有線通信データを、前記第２有線通信インターフェース部を介して受信する有線受信制御部と、
前記第１通信機器から前記無線送信制御部により送信された前記無線通信データを、前記第２無線通信インターフェース部を介して受信する無線受信制御部と、
前記有線受信制御部により受信された前記有線通信データ、及び、前記無線受信制御部により受信された前記無線通信データに夫々対応する前記優先度を、前記第２通信機器の前記データ優先度情報記憶部に記憶された前記データ優先度情報を参照して特定する受信データ優先度特定部と、
前記受信データ優先度特定部により特定された前記有線通信データの優先度及び前記無線通信データの優先度に基づいて、当該有線通信データと当該無線通信データとを結合することにより、前記通信データを再構築するデータ結合部と、
を備え、
前記第１通信機器の前記制御部は、
前記データ分割部により分割された前記優先度の高い前記通信データのデータ量に基づいて、前記第１有線通信インターフェース部を介して前記第２通信機器へ送信可能なデータ残量を予測するデータ残量予測部と、
前記データ分割部により分割された前記優先度の低い前記通信データのデータ量が、前記データ残量予測部により予測された前記データ残量よりも小さいか否かを判定するデータ量判定部と、
を更に備え、
前記データ分割部は、
前記データ量判定部により、前記優先度の低い前記通信データのデータ量が、前記データ残量予測部により予測された前記データ残量以上であると判定された場合には、前記データ残量に対応するデータ量に達するまでは、前記優先度の高い前記通信データに加えて前記優先度の低い前記通信データを一部含むように、前記優先度の低い前記通信データを再度分割し、
前記有線通信データ生成部は、
前記データ分割部により再度分割された前記優先度の低い前記通信データの一部を、前記優先度の高い前記通信データに加えて前記有線通信データとして生成し、
前記無線通信データ生成部は、
前記データ分割部により再度分割された際に前記優先度の高い前記通信データに加えられなかった前記優先度の低い前記通信データの残りを、前記無線通信データとして生成し、
前記データ結合部は、受信された前記無線通信データと、受信された前記有線通信データから抽出された前記優先度の低い通信データの一部とを再結合し、前記有線通信データから抽出されなかった残りの優先度の高い通信データと、前記再結合した優先度の低い通信データとを結合する
ことを特徴とする有線無線複合通信システム。
【請求項２】
前記有線通信データ生成部は、
前記データ量判定部により、前記優先度の低い前記通信データのデータ量が、前記データ残量予測部により予測された前記データ残量よりも小さいと判定された場合には、前記データ分割部により分割された前記優先度の高い通信データと前記優先度の低い通信データとを共に、前記有線通信データとして生成する
ことを特徴とする請求項１に記載の有線無線複合通信システム。
【請求項３】
制御部と記憶部と第１有線通信インターフェース部と第１無線通信インターフェース部とを少なくとも備えた第１通信機器と、前記第１通信機器と有線及び無線により通信可能に接続される、制御部と記憶部と第２有線通信インターフェース部と第２無線通信インターフェース部とを少なくとも備えた第２通信機器と、を備えた有線無線複合通信システムにおいて実行され、
前記第１通信機器の前記記憶部及び前記第２通信機器の前記記憶部は、夫々、
車両内に設けられた前記第１通信機器及び前記第２通信機器間で送受信される通信データの種別ごとに優先度を定めたデータ優先度情報を記憶するデータ優先度情報記憶部、
を備え、
前記第１通信機器の前記制御部において実行される、前記第１通信機器から前記第２通信機器へ送信する前記通信データの種別を判定するデータ種別判定ステップと、
前記第１通信機器の前記制御部において実行される、前記第１通信機器の前記データ優先度情報記憶部に記憶された前記データ優先度情報を参照し、前記データ種別判定ステップにて判定された前記通信データの種別に対応する前記優先度を特定する送信データ優先度特定ステップと、
前記第１通信機器の前記制御部において実行される、前記送信データ優先度特定ステップにて特定された前記優先度に基づいて、前記優先度の高い通信データと前記優先度の低い通信データとに分割するデータ分割ステップと、
前記第１通信機器の前記制御部において実行される、前記データ分割ステップにて分割された前記優先度の高い前記通信データを、有線通信可能な有線通信データとして生成する有線通信データ生成ステップと、
前記第１通信機器の前記制御部において実行される、前記データ分割ステップにて分割された前記優先度の低い前記通信データを、無線通信可能な無線通信データとして生成する無線通信データ生成ステップと、
前記第１通信機器の前記制御部において実行される、前記有線通信データ生成ステップにて生成された前記有線通信データを、前記第１有線通信インターフェース部を介して前記第２通信機器へ送信する有線送信制御ステップと、
前記第２通信機器の前記制御部において実行される、前記第１通信機器から前記有線送信制御ステップにて送信された前記有線通信データを、前記第２有線通信インターフェース部を介して受信する有線受信制御ステップと、
前記第１通信機器の前記制御部において実行される、前記無線通信データ生成ステップにて生成された前記無線通信データを、前記第１無線通信インターフェース部を介して前記第２通信機器へ送信する無線送信制御ステップと、
前記第２通信機器の前記制御部において実行される、前記第１通信機器から前記無線送信制御ステップにて送信された前記無線通信データを、前記第２無線通信インターフェース部を介して受信する無線受信制御ステップと、
前記第２通信機器の前記制御部において実行される、前記有線受信制御ステップにて受信された前記有線通信データ、及び、前記無線受信制御ステップにて受信された前記無線通信データに夫々対応する前記優先度を、前記第２通信機器の前記データ優先度情報記憶部に記憶された前記データ優先度情報を参照して特定する受信データ優先度特定ステップと、
前記受信データ優先度特定ステップにて特定された前記有線通信データの優先度及び前記無線通信データの優先度に基づいて、当該有線通信データと当該無線通信データとを結合することにより、前記通信データを再構築するデータ結合ステップと、
を含み、
前記第１通信機器の前記制御部において実行される、
前記データ分割ステップにて分割された前記優先度の高い前記通信データのデータ量に基づいて、前記第１有線通信インターフェース部を介して前記第２通信機器へ送信可能なデータ残量を予測するデータ残量予測ステップと、
前記データ分割ステップにて分割された前記優先度の低い前記通信データのデータ量が、前記データ残量予測ステップにて予測された前記データ残量よりも小さいか否かを判定するデータ量判定ステップと、
を更に含み、
前記データ分割ステップにおいては、
前記データ量判定ステップにて、前記優先度の低い前記通信データのデータ量が、前記データ残量予測ステップにて予測された前記データ残量以上であると判定された場合には、前記データ残量に対応するデータ量に達するまでは、前記優先度の高い前記通信データに加えて前記優先度の低い前記通信データが一部含まれるように、前記優先度の低い前記通信データが再度分割され、
前記有線通信データ生成ステップにおいては、
前記データ分割ステップにて再度分割された前記優先度の低い前記通信データの一部が、前記優先度の高い前記通信データに加えられて前記有線通信データとして生成され、
前記無線通信データ生成ステップにおいては、
前記データ分割ステップにて再度分割された際に前記優先度の高い前記通信データに加えられなかった前記優先度の低い前記通信データの残りが、前記無線通信データとして生成され、
前記データ結合ステップにおいては、受信された前記無線通信データと、受信された前記有線通信データから抽出された前記優先度の低い通信データの一部とを再結合し、前記有線通信データから抽出されなかった残りの優先度の高い通信データと、前記再結合した優先度の低い通信データとが結合される
ことを特徴とする有線無線複合通信方法。
【請求項４】
前記有線通信データ生成ステップにおいては、
前記データ量判定ステップにて、前記優先度の低い前記通信データのデータ量が、前記データ残量予測ステップにて予測された前記データ残量よりも小さいと判定された場合には、前記データ分割ステップにて分割された前記優先度の高い前記通信データと前記優先度の低い前記通信データとが共に、前記有線通信データとして生成される
ことを特徴とする請求項３に記載の有線無線複合通信方法。
【発明の詳細な説明】
【技術分野】
【０００１】
本発明は、有線無線複合通信システム及び有線無線複合通信方法に関する。
【背景技術】
【０００２】
従来、車内システムにおいて、種々の通信データが通信機器間で送受信されており、これらの通信データは、通信機器間を接続する通信線を介して有線通信により送受信されるか、又は、通信線を介さずに無線通信により送受信されていた（特許文献１等）。
【先行技術文献】
【特許文献】
【０００３】
【特許文献１】特開２０１５−１６２７９５号公報
【発明の概要】
【発明が解決しようとする課題】
【０００４】
ところで、車両内に設けられた通信機器間で通信データを送受信する場合には、無線通信に比べて有線通信を用いるほうがデータ通信の信頼性は向上するものの、車両内に設けられた全ての通信機器間を大容量データ通信が可能な高価な通信線で接続することは、コストが高くなるという課題がある。一方、コスト面を重視して無線通信を多用することは、データ通信の信頼性の面で課題が残ってしまうため、従来技術は、これらの点において、さらなる改善の余地があった。
【０００５】
そこで、本発明は、上記に鑑みてなされたものであって、車両内に設けられた通信機器間で有線と無線の複合通信により種々の通信データを適正に送受信することができる有線無線複合通信システム及び有線無線複合通信方法を提供することを目的とする。
【課題を解決するための手段】
【０００６】
上述した課題を解決し、目的を達成するために、本発明に係る有線無線複合通信システムは、制御部と記憶部と第１有線通信インターフェース部と第１無線通信インターフェース部とを少なくとも備えた第１通信機器と、前記第１通信機器と有線及び無線により通信可能に接続される、制御部と記憶部と第２有線通信インターフェース部と第２無線通信インターフェース部とを少なくとも備えた第２通信機器と、を備え、前記第１通信機器の前記記憶部及び前記第２通信機器の前記記憶部は、夫々、車両内に設けられた前記第１通信機器及び前記第２通信機器間で送受信される通信データの種別ごとに優先度を定めたデータ優先度情報を記憶するデータ優先度情報記憶部、を備え、前記第１通信機器の前記制御部は、前記第１通信機器から前記第２通信機器へ送信する前記通信データの種別を判定するデータ種別判定部と、前記第１通信機器の前記データ優先度情報記憶部に記憶された前記データ優先度情報を参照し、前記データ種別判定部により判定された前記通信データの種別に対応する前記優先度を特定する送信データ優先度特定部と、前記送信データ優先度特定部により特定された前記優先度に基づいて、前記優先度の高い通信データと前記優先度の低い通信データとに分割するデータ分割部と、前記データ分割部により分割された前記優先度の高い前記通信データを、有線通信可能な有線通信データとして生成する有線通信データ生成部と、前記有線通信データ生成部により生成された前記有線通信データを、前記第１有線通信インターフェース部を介して前記第２通信機器へ送信する有線送信制御部と、前記データ分割部により分割された前記優先度の低い前記通信データを、無線通信可能な無線通信データとして生成する無線通信データ生成部と、前記無線通信データ生成部により生成された前記無線通信データを、前記第１無線通信インターフェース部を介して前記第２通信機器へ送信する無線送信制御部と、を備え、前記第２通信機器の前記制御部は、前記第１通信機器から前記有線送信制御部により送信された前記有線通信データを、前記第２有線通信インターフェース部を介して受信する有線受信制御部と、前記第１通信機器から前記無線送信制御部により送信された前記無線通信データを、前記第２無線通信インターフェース部を介して受信する無線受信制御部と、前記有線受信制御部により受信された前記有線通信データ、及び、前記無線受信制御部により受信された前記無線通信データに夫々対応する前記優先度を、前記第２通信機器の前記データ優先度情報記憶部に記憶された前記データ優先度情報を参照して特定する受信データ優先度特定部と、前記受信データ優先度特定部により特定された前記有線通信データの優先度及び前記無線通信データの優先度に基づいて、当該有線通信データと当該無線通信データとを結合することにより、前記通信データを再構築するデータ結合部と、を備え、前記第１通信機器の前記制御部は、前記データ分割部により分割された前記優先度の高い前記通信データのデータ量に基づいて、前記第１有線通信インターフェース部を介して前記第２通信機器へ送信可能なデータ残量を予測するデータ残量予測部と、前記データ分割部により分割された前記優先度の低い前記通信データのデータ量が、前記データ残量予測部により予測された前記データ残量よりも小さいか否かを判定するデータ量判定部と、を更に備え、前記データ分割部は、前記データ量判定部により、前記優先度の低い前記通信データのデータ量が、前記データ残量予測部により予測された前記データ残量以上であると判定された場合には、前記データ残量に対応するデータ量に達するまでは、前記優先度の高い前記通信データに加えて前記優先度の低い前記通信データを一部含むように、前記優先度の低い前記通信データを再度分割し、前記有線通信データ生成部は、前記データ分割部により再度分割された前記優先度の低い前記通信データの一部を、前記優先度の高い前記通信データに加えて前記有線通信データとして生成し、前記無線通信データ生成部は、前記データ分割部により再度分割された際に前記優先度の高い前記通信データに加えられなかった前記優先度の低い前記通信データの残りを、前記無線通信データとして生成し、前記データ結合部は、受信された前記無線通信データと、受信された前記有線通信データから抽出された前記優先度の低い通信データの一部とを再結合し、前記有線通信データから抽出されなかった残りの優先度の高い通信データと、前記再結合した優先度の低い通信データとを結合されることを特徴とする。
【０００７】
また、上記有線無線複合通信システムにおいて、前記有線通信データ生成部は、前記データ量判定部により、前記優先度の低い前記通信データのデータ量が、前記データ残量予測部により予測された前記データ残量よりも小さいと判定された場合には、前記データ分割部により分割された前記優先度の高い通信データと前記優先度の低い通信データとを共に、前記有線通信データとして生成することが好ましい。
【０００９】
更に、上述した課題を解決し、目的を達成するために、本発明に係る有線無線複合通信方法は、制御部と記憶部と第１有線通信インターフェース部と第１無線通信インターフェース部とを少なくとも備えた第１通信機器と、前記第１通信機器と有線及び無線により通信可能に接続される、制御部と記憶部と第２有線通信インターフェース部と第２無線通信インターフェース部とを少なくとも備えた第２通信機器と、を備えた有線無線複合通信システムにおいて実行され、前記第１通信機器の前記記憶部及び前記第２通信機器の前記記憶部は、夫々、車両内に設けられた前記第１通信機器及び前記第２通信機器間で送受信される通信データの種別ごとに優先度を定めたデータ優先度情報を記憶するデータ優先度情報記憶部、を備え、前記第１通信機器の前記制御部において実行される、前記第１通信機器から前記第２通信機器へ送信する前記通信データの種別を判定するデータ種別判定ステップと、前記第１通信機器の前記制御部において実行される、前記第１通信機器の前記データ優先度情報記憶部に記憶された前記データ優先度情報を参照し、前記データ種別判定ステップにて判定された前記通信データの種別に対応する前記優先度を特定する送信データ優先度特定ステップと、前記第１通信機器の前記制御部において実行される、前記送信データ優先度特定ステップにて特定された前記優先度に基づいて、前記優先度の高い通信データと前記優先度の低い通信データとに分割するデータ分割ステップと、前記第１通信機器の前記制御部において実行される、前記データ分割ステップにて分割された前記優先度の高い前記通信データを、有線通信可能な有線通信データとして生成する有線通信データ生成ステップと、前記第１通信機器の前記制御部において実行される、前記データ分割ステップにて分割された前記優先度の低い前記通信データを、無線通信可能な無線通信データとして生成する無線通信データ生成ステップと、前記第１通信機器の前記制御部において実行される、前記有線通信データ生成ステップにて生成された前記有線通信データを、前記第１有線通信インターフェース部を介して前記第２通信機器へ送信する有線送信制御ステップと、前記第２通信機器の前記制御部において実行される、前記第１通信機器から前記有線送信制御ステップにて送信された前記有線通信データを、前記第２有線通信インターフェース部を介して受信する有線受信制御ステップと、前記第１通信機器の前記制御部において実行される、前記無線通信データ生成ステップにて生成された前記無線通信データを、前記第１無線通信インターフェース部を介して前記第２通信機器へ送信する無線送信制御ステップと、前記第２通信機器の前記制御部において実行される、前記第１通信機器から前記無線送信制御ステップにて送信された前記無線通信データを、前記第２無線通信インターフェース部を介して受信する無線受信制御ステップと、前記第２通信機器の前記制御部において実行される、前記有線受信制御ステップにて受信された前記有線通信データ、及び、前記無線受信制御ステップにて受信された前記無線通信データに夫々対応する前記優先度を、前記第２通信機器の前記データ優先度情報記憶部に記憶された前記データ優先度情報を参照して特定する受信データ優先度特定ステップと、前記受信データ優先度特定ステップにて特定された前記有線通信データの優先度及び前記無線通信データの優先度に基づいて、当該有線通信データと当該無線通信データとを結合することにより、前記通信データを再構築するデータ結合ステップと、を含み、前記第１通信機器の前記制御部において実行される、前記データ分割ステップにて分割された前記優先度の高い前記通信データのデータ量に基づいて、前記第１有線通信インターフェース部を介して前記第２通信機器へ送信可能なデータ残量を予測するデータ残量予測ステップと、前記データ分割ステップにて分割された前記優先度の低い前記通信データのデータ量が、前記データ残量予測ステップにて予測された前記データ残量よりも小さいか否かを判定するデータ量判定ステップと、を更に含み、前記データ分割ステップにおいては、前記データ量判定ステップにて、前記優先度の低い前記通信データのデータ量が、前記データ残量予測ステップにて予測された前記データ残量以上であると判定された場合には、前記データ残量に対応するデータ量に達するまでは、前記優先度の高い前記通信データに加えて前記優先度の低い前記通信データが一部含まれるように、前記優先度の低い前記通信データが再度分割され、前記有線通信データ生成ステップにおいては、前記データ分割ステップにて再度分割された前記優先度の低い前記通信データの一部が、前記優先度の高い前記通信データに加えられて前記有線通信データとして生成され、前記無線通信データ生成ステップにおいては、前記データ分割ステップにて再度分割された際に前記優先度の高い前記通信データに加えられなかった前記優先度の低い前記通信データの残りが、前記無線通信データとして生成され、前記データ結合ステップにおいては、受信された前記無線通信データと、受信された前記有線通信データから抽出された前記優先度の低い通信データの一部とを再結合し、前記有線通信データから抽出されなかった残りの優先度の高い通信データと、前記再結合した優先度の低い通信データとが結合されることを特徴とする。
【００１０】
また、上記有線無線複合通信方法は、前記有線通信データ生成ステップにおいては、前記データ量判定ステップにて、前記優先度の低い前記通信データのデータ量が、前記データ残量予測ステップにて予測された前記データ残量よりも小さいと判定された場合には、前記データ分割ステップにて分割された前記優先度の高い前記通信データと前記優先度の低い前記通信データとが共に、前記有線通信データとして生成されることが好ましい。
【発明の効果】
【００１２】
本発明に係る有線無線複合通信システム及び有線無線複合通信方法によれば、車両内に設けられた通信機器間で送受信される通信データの種別のうち、優先度の高い通信データについては有線通信を用い、優先度の低い通信データについては無線通信を用いるように制御することができる。これにより、車両内に設けられた通信機器間で有線と無線の複合通信により種々の通信データを適正に送受信することができる。
【図面の簡単な説明】
【００１３】
【図１】図１は、本実施形態に係る有線無線複合通信システムの概略図である。
【図２】図２は、車両内における本実施形態に係る有線無線複合通信システムの一例を示す説明図である。
【図３】図３は、本実施形態に係る第１通信機器の詳細を示す機能構成図である。
【図４】図４は、本実施形態に係る第２通信機器の詳細を示す機能構成図である。
【図５】図５は、本実施形態に係るデータ優先度情報記憶部の一例を示す図である。
【図６】図６は、本実施形態に係る有線無線複合通信システムによる基本処理を示すフローチャートである。
【図７】図７は、本実施形態に係る有線無線複合通信システムによる処理の別の一例を示すフローチャートである。
【発明を実施するための形態】
【００１４】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１５】
［実施形態］
実施形態に係る有線無線複合通信システム及び有線無線複合通信方法について説明する。図１は、本実施形態に係る有線無線複合通信システムの概略図である。図２は、車両内における本実施形態に係る有線無線複合通信システムの一例を示す説明図である。図３は、本実施形態に係る第１通信機器の詳細を示す機能構成図である。図４は、本実施形態に係る第２通信機器の詳細を示す機能構成図である。図５は、本実施形態に係るデータ優先度情報記憶部の一例を示す図である。図６は、本実施形態に係る有線無線複合通信システムによる基本処理を示すフローチャートである。図７は、本実施形態に係る有線無線複合通信システムによる処理の別の一例を示すフローチャートである。
【００１６】
図１に示すように、本実施形態に係る有線無線複合通信システム１は、少なくとも複数の通信機器（例えば、第１通信機器１００及び第２通信機器２００）から構成されるものである。以下、説明の便宜上、第１通信機器１００を通信データの送信側の通信機器として説明し、第２通信機器２００を通信データの受信側の通信機器として説明するが、これに限定されない。第１通信機器１００と第２通信機器とは、状況によっては、第１通信機器１００が通信データの受信側の通信機器となり、第２通信機器２００が通信データの送信側の通信機器となり得る。また、以下、第１通信機器１００と第２通信機器２００とを区別せず、単に通信機器５０として呼ぶ場合がある。これらの通信機器５０は、例えば、車両１０に搭載された各種ユニットや各種センサ等に一体的に構成されるかまたは別個接続されて設けられるものである。
【００１７】
図２に示すように、本実施形態に係る有線無線複合通信システム１は、車両１０内に設けられた通信機器５０間で送受信される通信データを、通信線を介して有線通信する機能と、アンテナを介して無線通信する機能との両方を実現可能な通信システムとして機能する。一例として、図２において、有線無線複合通信システム１Ａは、車両１０のフロントセンサ間で有線通信及び無線通信可能な通信システムとして機能する。また、図２において、有線無線複合通信システム１Ｂは、車両１０のリアセンサ間で有線通信及び無線通信可能な通信システムとして機能する。また、図２において、有線無線複合通信システム１Ｃは、車両１０の外部の基地局や他の車両との車車間通信が可能な車載ゲートウェイ部（車載ＧＷ）５１と通信機器５０間とで、有線通信及び無線通信可能な通信システムとして機能する。ここで、車載ゲートウェイ部５１は、広域無線及び狭域無線により車両外の通信機器と通信する機能を有し、この車載ゲートウェイ部５１は、本実施形態の通信機器５０の一実施形態である。なお、広域無線の方式は、例えばラジオ（ＡＭ，ＦＭ）、ＴＶ（ＵＨＦ，４Ｋ，８Ｋ）、ＴＥＬ、ＧＰＳ、ＷｉＭＡＸ（登録商標）、車車間通信等である。また、狭域無線の方式は、例えばＥＴＣ／ＤＳＲＣ、ＶＩＣＳ（登録商標）、無線ＬＡＮ、ミリ波通信等である。図２において、車両１０内に設けられた通信機器５０と車載ゲートウェイ部５１は夫々、車載バッテリＢＴと電力線を介して接続されており、電力供給されている。この電力線は、電力線通信（ＰＬＣ）が可能なように構成されていてもよい。
【００１８】
図１に戻り、第１通信機器１００は、制御部１０２と、第１有線通信インターフェース部１０４と、第１無線通信インターフェース部１０６と、記憶部１０８とを備えて構成される。同様に、第２通信機器２００は、制御部２０２と、第２有線通信インターフェース部２０４と、第２無線通信インターフェース部２０６と、記憶部２０８とを備えて構成される。
【００１９】
図１において、制御部１０２及び制御部２０２は、各種処理を行う制御手段である。第１通信機器１００の制御部１０２は、記憶部１０８に記憶された情報に基づいて、入力された通信データを、有線通信により第２通信機器２００へ送信するか、及び／又は、無線通信により第２通信機器２００へ送信するかを判定する。そして、制御部１０２は、有線通信により通信データを送信する際は、第１有線通信インターフェース部１０４を制御して、通信線を介して接続された第２有線通信インターフェース部２０４へデータを送信する。また、制御部１０２は、無線通信により通信データを送信する際は、第１無線通信インターフェース部１０６を制御して、アンテナを介して無線通信可能に接続された第２無線通信インターフェース部２０６へ通信データを送信する。第２通信機器２００の制御部２０２は、第１通信機器１００から有線通信により送信された通信データを、第２有線通信インターフェース部２０４を制御して受信する。また、制御部２０２は、第１通信機器１００から無線通信により送信された通信データを、第２無線通信インターフェース部２０６を制御して受信する。そして、制御部２０２は、記憶部２０８に記憶された情報に基づいて、有線通信により受信した通信データと、無線通信により受信した通信データとを結合する。その後、制御部２０２は、結合した通信データを出力する。これら制御部１０２及び制御部２０２の機能の詳細については、図３及び図４を参照して後述する。
【００２０】
第１有線通信インターフェース部１０４及び第２有線通信インターフェース部２０４は、通信線に接続されるインターフェースであり、第１通信機器１００と第２通信機器２００との間における有線による通信制御を行う機能を有する。すなわち、第１有線通信インターフェース部１０４及び第２有線通信インターフェース部２０４は、通信回線を介してデータを有線通信する機能を有している。なお、通信線は、例えば、ＬＡＮケーブルやＣＡＮ等の専用通信線等が挙げられるが、これらに限定されない。この他、電線が電力線通信（ＰＬＣ）が可能なように構成されている場合は、第１有線通信インターフェース部１０４及び第２有線通信インターフェース部２０４は、電線に接続されるインターフェースとして機能してもよい。なお、以下の説明においては、第１有線通信インターフェース部１０４及び第２有線通信インターフェース部２０４は、夫々、第１通信機器１００と第２通信機器２００に夫々単数備えられた例を説明するが、これに限定されない。第１有線通信インターフェース部１０４及び第２有線通信インターフェース部２０４は、第１通信機器１００と第２通信機器２００に夫々複数備えられていてもよい。
【００２１】
本実施形態において、上述の電力線や通信線は、車両１０内に配索されたワイヤーハーネスとして構成されているものとする。本実施形態のワイヤーハーネスは、例えば、車両１０に搭載される各装置間の接続のために、電源供給や信号通信に用いられる複数の電線や通信線等の接続線を束にして集合部品とし、コネクタで複数の接続線を一度に各装置に接続するものである。
【００２２】
第１無線通信インターフェース部１０６及び第２無線通信インターフェース部２０６は、種々の通信プロトコルによる無線通信が可能なアンテナを有するインターフェースであり、第１通信機器１００と第２通信機器２００との間における無線による通信制御を行う機能を有する。すなわち、第１無線通信インターフェース部１０６及び第２無線通信インターフェース部２０６は、アンテナを介してデータを無線通信する機能を有している。なお、これに限定されないが、第１無線通信インターフェース部１０６及び第２無線通信インターフェース部２０６は、例えば、無線ＬＡＮ、Ｗｉ−Ｆｉ（登録商標）、Ｂｌｕｅｔｏｏｔｈ（登録商標）、ＮＦＣ等の近距離無線通信を行う機能を有する。なお、以下の説明においては、第１無線通信インターフェース部１０６及び第２無線通信インターフェース部２０６は、夫々、第１通信機器１００と第２通信機器２００に夫々単数備えられた例を説明するが、これに限定されない。第１無線通信インターフェース部１０６及び第２無線通信インターフェース部２０６は、第１通信機器１００と第２通信機器２００に夫々複数備えられていてもよい。
【００２３】
記憶部１０８及び記憶部２０８は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（データ優先度情報テーブル１０８ａやデータ優先度情報テーブル２０８ａ等）を格納してもよい。ここで、記憶部１０８及び記憶部２０８は、各種のファイル等を一時的に記憶するものであってもよい。記憶部１０８のデータ優先度情報テーブル１０８ａや記憶部２０８のデータ優先度情報テーブル２０８ａの詳細については、図５を参照して後述する。
【００２４】
ここで、上述の第１通信機器１００の制御部１０２の詳細について図３を参照して説明する。図３において、制御部１０２は、データ種別判定部１０２ａと、送信データ優先度特定部１０２ｂと、データ分割部１０２ｃと、有線通信データ生成部１０２ｄと、有線送信制御部１０２ｅと、無線通信データ生成部１０２ｆと、無線送信制御部１０２ｇと、データ残量予測部１０２ｈと、データ量判定部１０２ｉと、有線受信制御部１０２ｊと、無線受信制御部１０２ｋと、受信データ優先度特定部１０２ｍと、データ結合部１０２ｎと、を備えて構成される。
【００２５】
このうち、データ種別判定部１０２ａは、第１通信機器１００から第２通信機器２００へ送信する通信データの種別を判定する。また、送信データ優先度特定部１０２ｂは、第１通信機器１００のデータ優先度情報記憶部としてのデータ優先度情報テーブル１０８ａ（図５参照）に記憶されたデータ優先度情報を参照し、データ種別判定部１０２ａにより判定された通信データの種別に対応する優先度を特定する。
【００２６】
図５に示すように、データ優先度情報テーブル１０８ａ，２０８ａは、車両１０内に設けられた第１通信機器１００及び第２通信機器２００間で送受信される通信データの種別ごとに優先度を定めたデータ優先度情報を記憶する。図５の例では、優先度はＩＤ番号として、「０」〜「６」まで設定されている。この例においては、ＩＤ番号の数が小さいほど優先度の高いものとする。例えば、図５において、エアバッグに関する信号や指令等の各種情報を含む通信データは、優先度の高いものとしてＩＤ番号「０」が設定されている。また、図５において、ブレーキに関する信号や指令等の各種情報を含む通信データは、ＩＤ番号「１」が設定されている。ここで、データ優先度情報テーブル１０８ａ，２０８ａでは、ＩＤ番号が「０」から「３」までは優先度の高いものとして有線通信によりデータ通信を行うように定義付けられている。また、ＩＤ番号が「４」から「６」までは優先度の低いものとして無線通信によりデータ通信を行うように定義付けられている。
【００２７】
図５に示すように、車両１０の安全系機器群の１つであるエアバッグに関する通信データは、車両１０の安全制御に関わる通信データであるため、優先度が最も高く設定されている。安全系機器群には、例えば、ヨーレイトセンサ、エアバッグ、車輪側センサ、自動運転ＥＣＵなどが含まれる。また、車両１０のパワトレ系機器群の１つであるブレーキに関する通信データは、車両制御に関わる通信データであるため、安全制御の次に優先度の高いものとして設定されている。パワトレ系機器群には、ハイブリッド制御部、ステアリングセンサ、エンジン、サスペンション、ステアリングバイワイヤ、トランスミッション、バッテリセンサ、ブレーキバイワイヤなどが含まれる。
【００２８】
図５に図示していないが、通信データの種別としては、安全系機器群（エアバッグ等）に関する通信データとパワトレ系機器群（ブレーキ等）に関する通信データの他には、ボディ系機器群、マルチメディア系機器群、電源系機器群、ダイアグ系機器群、及び、充電系機器群の夫々に関する通信データが挙げられる。ボディ系機器群には、例えばパワースイングドア、メモリーシート、エアコン、メータ、シフトバイワイヤ、灯具、リアコントローラ、パワートランクなどが含まれる。マルチメディア系機器群には、ナビゲーション装置、ディスプレイ、アンプ、外部通信ユニットなどが含まれる。電源系機器群には、電源エリアマスタ、電源エリアスレーブ、低圧・高圧バッテリパックなどが含まれる。ダイアグ系機器群には、ダイアグツール（スキャンツール）などが含まれる。充電系機器群には、充電器などが含まれる。
【００２９】
これに限定されないが、安全系機器群（エアバッグ等）に関する通信データとパワトレ系機器群（ブレーキ等）に関する通信データに比べて、ボディ系機器群、マルチメディア系機器群、電源系機器群、ダイアグ系機器群、充電系機器群に関する通信データは、比較的優先度の低い通信データとして設定され得る。これらのボディ系機器群、マルチメディア系機器群、電源系機器群、ダイアグ系機器群、充電系機器群のうちでは、ボディ系機器群や電源系機器群は、マルチメディア系機器群やダイアグ系機器群や充電系機器群よりも比較的優先度の高い通信データとして設定され得る。
【００３０】
本実施形態において、データ種別判定部１０２ａは、第１通信機器１００から第２通信機器２００へ送信する通信データの種別を判定する際、例えば、エアバッグに関する通信データや、ブレーキに関する通信データなどに分類することで通信データの種別を判定する。そして、送信データ優先度特定部１０２ｂは、データ種別判定部１０２ａが判定した通信データの種別に基づいて、例えば、エアバッグに関する通信データであれば、優先度はＩＤ番号「０」であるとして、通信データの種別に対応する優先度を特定している。
【００３１】
図３に戻り、データ分割部１０２ｃは、送信データ優先度特定部１０２ｂにより特定された優先度に基づいて、優先度の高い通信データと優先度の低い通信データとに分割する。本実施形態において、データ分割部１０２ｃは、例えば、図５に示したように、エアバッグやブレーキに関する通信データ等を含むＩＤ番号「０」〜「３」の優先度を有する通信データの種別については、優先度の高い通信データとして分割する。そして、データ分割部１０２ｃは、ＩＤ番号「０」〜「３」以外の「４」〜「６」の優先度を有する通信データの種別については、優先度の低い通信データとして分割する。
【００３２】
有線通信データ生成部１０２ｄは、データ分割部１０２ｃにより分割された優先度の高い通信データを、有線通信可能な有線通信データとして生成する。有線送信制御部１０２ｅは、有線通信データ生成部１０２ｄにより生成された有線通信データを、第１有線通信インターフェース部１０４を介して第２通信機器２００へ送信する。無線通信データ生成部１０２ｆは、データ分割部１０２ｃにより分割された優先度の低い通信データを、無線通信可能な無線通信データとして生成する。無線送信制御部１０２ｇは、無線通信データ生成部１０２ｆにより生成された無線通信データを、第１無線通信インターフェース部１０６を介して第２通信機器２００へ送信する。
【００３３】
データ残量予測部１０２ｈは、データ分割部１０２ｃにより分割された優先度の高い通信データのデータ量に基づいて、第１有線通信インターフェース部１０４を介して第２通信機器２００へ送信可能なデータ残量を予測する。データ量判定部１０２ｉは、データ分割部１０２ｃにより分割された優先度の低い通信データのデータ量が、データ残量予測部１０２ｈにより予測されたデータ残量よりも小さいか否かを判定する。
【００３４】
ここで、有線通信データ生成部１０２ｄは、データ量判定部１０２ｉにより、優先度の低い通信データのデータ量が、データ残量予測部１０２ｈにより予測されたデータ残量よりも小さいと判定された場合には、データ分割部１０２ｃにより分割された優先度の高い通信データと優先度の低い通信データとを共に、有線通信データとして生成してもよい。
【００３５】
また、データ分割部１０２ｃは、データ量判定部１０２ｉにより、優先度の低い通信データのデータ量が、データ残量予測部１０２ｈにより予測されたデータ残量以上であると判定された場合には、データ残量に対応するデータ量に達するまでは、優先度の高い通信データに加えて優先度の低い通信データを一部含むように、優先度の低い通信データを再度分割してもよい。そして、有線通信データ生成部１０２ｄは、データ分割部１０２ｃにより再度分割された優先度の低い通信データの一部を、優先度の高い通信データに加えて有線通信データとして生成してもよい。更に、無線通信データ生成部１０２ｆは、データ分割部１０２ｃにより再度分割された際に優先度の高い通信データに加えられなかった優先度の低い通信データの残りを、無線通信データとして生成してもよい。
【００３６】
有線受信制御部１０２ｊは、第２通信機器２００から有線送信制御部２０２ｅにより送信された有線通信データを、第１有線通信インターフェース部１０４を介して受信する。無線受信制御部１０２ｋは、第２通信機器２００から無線送信制御部２０２ｇにより送信された無線通信データを、第１無線通信インターフェース部１０６を介して受信する。受信データ優先度特定部１０２ｍは、有線受信制御部１０２ｊにより受信された有線通信データ、及び、無線受信制御部１０２ｋにより受信された無線通信データに夫々対応する優先度を、第１通信機器１００のデータ優先度情報記憶部としてのデータ優先度情報テーブル１０８ａに記憶されたデータ優先度情報を参照して特定する。データ結合部１０２ｎは、受信データ優先度特定部１０２ｍにより特定された有線通信データの優先度及び無線通信データの優先度に基づいて、当該有線通信データと当該無線通信データとを結合することにより、通信データを再構築する。
【００３７】
続いて、上述の第２通信機器２００の制御部２０２の詳細について図４を参照して説明する。図４において、制御部２０２は、データ種別判定部２０２ａと、送信データ優先度特定部２０２ｂと、データ分割部２０２ｃと、有線通信データ生成部２０２ｄと、有線送信制御部２０２ｅと、無線通信データ生成部２０２ｆと、無線送信制御部２０２ｇと、データ残量予測部２０２ｈと、データ量判定部２０２ｉと、有線受信制御部２０２ｊと、無線受信制御部２０２ｋと、受信データ優先度特定部２０２ｍと、データ結合部２０２ｎと、を備えて構成される。なお、本実施形態において、第１通信機器１００と第２通信機器２００とは機能的には基本的に同一である。
【００３８】
このうち、データ種別判定部２０２ａは、第２通信機器２００から第１通信機器１００へ送信する通信データの種別を判定する。また、送信データ優先度特定部２０２ｂは、第２通信機器２００のデータ優先度情報記憶部としてのデータ優先度情報テーブル２０８ａ（図５参照）に記憶されたデータ優先度情報を参照し、データ種別判定部２０２ａにより判定された通信データの種別に対応する優先度を特定する。データ分割部２０２ｃは、送信データ優先度特定部２０２ｂにより特定された優先度に基づいて、優先度の高い通信データと優先度の低い通信データとに分割する。
【００３９】
有線通信データ生成部２０２ｄは、データ分割部２０２ｃにより分割された優先度の高い通信データを、有線通信可能な有線通信データとして生成する。有線送信制御部２０２ｅは、有線通信データ生成部２０２ｄにより生成された有線通信データを、第２有線通信インターフェース部２０４を介して第１通信機器１００へ送信する。無線通信データ生成部２０２ｆは、データ分割部２０２ｃにより分割された優先度の低い通信データを、無線通信可能な無線通信データとして生成する。無線送信制御部２０２ｇは、無線通信データ生成部２０２ｆにより生成された無線通信データを、第２無線通信インターフェース部２０６を介して第１通信機器１００へ送信する。
【００４０】
データ残量予測部２０２ｈは、データ分割部２０２ｃにより分割された優先度の高い通信データのデータ量に基づいて、第２有線通信インターフェース部２０４を介して第１通信機器１００へ送信可能なデータ残量を予測する。データ量判定部２０２ｉは、データ分割部２０２ｃにより分割された優先度の低い通信データのデータ量が、データ残量予測部２０２ｈにより予測されたデータ残量よりも小さいか否かを判定する。
【００４１】
ここで、有線通信データ生成部２０２ｄは、データ量判定部２０２ｉにより、優先度の低い通信データのデータ量が、データ残量予測部２０２ｈにより予測されたデータ残量よりも小さいと判定された場合には、データ分割部２０２ｃにより分割された優先度の高い通信データと優先度の低い通信データとを共に、有線通信データとして生成してもよい。
【００４２】
また、データ分割部２０２ｃは、データ量判定部２０２ｉにより、優先度の低い通信データのデータ量が、データ残量予測部２０２ｈにより予測されたデータ残量以上であると判定された場合には、データ残量に対応するデータ量に達するまでは、優先度の高い通信データに加えて優先度の低い通信データを一部含むように再度分割してもよい。そして、有線通信データ生成部２０２ｄは、データ分割部２０２ｃにより再度分割された、優先度の高い通信データと優先度の低い通信データの一部を、有線通信データとして生成してもよい。更に、無線通信データ生成部２０２ｆは、データ分割部２０２ｃにより再度分割された際に優先度の高い通信データに加えられなかった優先度の低い通信データの残りを、無線通信データとして生成してもよい。
【００４３】
有線受信制御部２０２ｊは、第１通信機器１００から有線送信制御部１０２ｅにより送信された有線通信データを、第２有線通信インターフェース部２０４を介して受信する。無線受信制御部２０２ｋは、第１通信機器１００から無線送信制御部１０２ｇにより送信された無線通信データを、第２無線通信インターフェース部２０６を介して受信する。受信データ優先度特定部２０２ｍは、有線受信制御部２０２ｊにより受信された有線通信データ、及び、無線受信制御部２０２ｋにより受信された無線通信データに夫々対応する優先度を、第２通信機器２００のデータ優先度情報記憶部としてのデータ優先度情報テーブル２０８ａに記憶されたデータ優先度情報を参照して特定する。データ結合部２０２ｎは、受信データ優先度特定部２０２ｍにより特定された有線通信データの優先度及び無線通信データの優先度に基づいて、当該有線通信データと当該無線通信データとを結合することにより、通信データを再構築する。
【００４４】
上述のように構成された本実施形態の有線無線複合通信システム１において実行される有線無線複合通信方法の一例について、以下に図６を参照して説明する。
【００４５】
図６に示すように、第１通信機器１００のデータ種別判定部１０２ａは、第１通信機器１００から第２通信機器２００へ送信するために、入力された通信データの種別を判定する。そして、第１通信機器１００の送信データ優先度特定部１０２ｂは、第１通信機器１００のデータ優先度情報テーブル１０８ａに記憶されたデータ優先度情報を参照し、データ種別判定部１０２ａにより判定された通信データの種別に対応する優先度を特定する。そして、第１通信機器１００のデータ分割部１０２ｃは、送信データ優先度特定部１０２ｂにより特定された優先度に基づいて、優先度の高い通信データと優先度の低い通信データとに分割する（ステップＳ１０１）。
【００４６】
これら第１通信機器１００のデータ種別判定部１０２ａ、送信データ優先度特定部１０２ｂ、及び、データ分割部１０２ｃによるステップＳ１０１の各種処理は、重要な信号を有線通信で伝送する高信頼性通信システムを実現するためのデータ種別判定及び分割処理である。このステップＳ１０１における処理としては、上述の図５に示したデータ優先度情報テーブル１０８ａ（ＩＤマップ）を参照して行う例を説明したが、データ優先度情報テーブル１０８ａはデータ優先度情報記憶部の一例であり、この他にも、データ優先度情報は、以下に示すような情報であってもよい。例えば、データ優先度情報のうち、有線通信に用いる優先度の高い通信データは、セキュリティ信号を含み、無線通信に用いる優先度の低い通信データは、データ信号を含んでいてもよい。一例として、セキュリティ信号とは、例えば、暗号キーやＩＤ等である。データ信号とは、セキュリティ信号の暗号キーにより暗号化されたデータ本体や、セキュリティ信号のＩＤが付加されたデータ本体である。また、データ優先度情報のうち、有線通信に用いる優先度の高い通信データは、車両１０の制御において重要度の高い信号を含み、無線通信に用いる優先度の低い通信データは、車両１０の制御において重要度の低い信号を含んでいてもよい。一例として、重要度の高い信号とは、例えば、安全系機器群やパワトレ系機器群等に関する信号である。重要度の低い信号とは、例えば、マルチメディア系機器群やダイアグ系群等に関する信号である。また、データ優先度情報のうち、有線通信に用いる優先度の高い通信データは、車両１０の制御に関する重要な信号を含み、無線通信に用いる優先度の低い通信データは、車両１０の制御に関する全ての信号を含んでいてもよい。一例として、重要な信号とは、冗長しなければならない信号（例えば安全系機器群に関する信号）である。全ての信号とは、ボディ系機器群、安全系機器群、パワトレ系機器群、マルチメディア系機器群、電源系機器群、ダイアグ系機器群、及び、充電系機器群に関する信号である。また、データ優先度情報のうち、有線通信に用いる優先度の高い通信データは、制御信号を含み、無線通信に用いる優先度の低い通信データは、データ信号を含んでいてもよい。一例として、制御信号とは、車両１０の制御に関わる信号である。データ信号とは、制御信号によって指令内容が付加された対象となるデータ本体である。
【００４７】
この他、ステップＳ１０１の各種処理は、遅延時間を短くしなければならない信号を有線信号で伝送し、多少の遅延時間が許容可能な信号を無線通信で伝送する通信システムを実現するためデータ種別判定及び分割処理でもある。この場合のデータ優先度情報は、以下に示すような情報であってもよい。例えば、データ優先度情報のうち、有線通信に用いる優先度の高い通信データは、制御信号を含み、無線通信に用いる優先度の低い通信データは、データ信号を含んでいてもよい。また、データ優先度情報のうち、有線通信に用いる優先度の高い通信データとして、安全系機器群に関する信号のうち遅延時間を短くしなければならない信号を含み、安全系機器群に関する信号のうち多少の遅延時間が許容可能な信号を含んでいてもよい。一例として、安全系機器群に関する信号のうち遅延時間を短くしなければならない信号とは、近距離の障害物検知用のカメラ画像の間引情報などである。安全系機器群に関する信号のうち多少の遅延時間が許容可能な信号とは、遠距離の障害物検知用のカメラ画像のフル情報などである。
【００４８】
図６に戻り、ステップＳ１０１の処理にて有線通信を用いると判定されて分割された通信データについては、第１通信機器１００の有線通信データ生成部１０２ｄは、ステップＳ１０１においてデータ分割部１０２ｃにより分割された優先度の高い通信データを、有線通信可能な有線通信データとして生成する（ステップＳ１０２）。そして、第１通信機器１００の有線送信制御部１０２ｅは、ステップＳ１０２において有線通信データ生成部１０２ｄにより生成された有線通信データを、第１有線通信インターフェース部１０４を介して第２通信機器２００へ送信する（ステップＳ１０４）。
【００４９】
第２通信機器２００の有線受信制御部２０２ｊは、ステップＳ１０４において第１通信機器１００から有線送信制御部１０２ｅにより送信された有線通信データを、第２有線通信インターフェース部２０４を介して受信する（ステップＳ１０６）。その後、ステップＳ１０８の処理へ移行する。
【００５０】
一方、ステップＳ１０１の処理にて無線通信を用いると判定されて分割された通信データについては、第１通信機器１００の無線通信データ生成部１０２ｆは、ステップＳ１０１においてデータ分割部１０２ｃにより分割された優先度の低い通信データを、無線通信可能な無線通信データとして生成する（ステップＳ１０３）。そして、第１通信機器１００の無線送信制御部１０２ｇは、ステップＳ１０３において無線通信データ生成部１０２ｆにより生成された無線通信データを、第１無線通信インターフェース部１０６を介して第２通信機器２００へ送信する（ステップＳ１０５）。
【００５１】
第２通信機器２００の無線受信制御部２０２ｋは、ステップＳ１０５において第１通信機器１００から無線送信制御部１０２ｇにより送信された無線通信データを、第２無線通信インターフェース部２０６を介して受信する（ステップＳ１０７）。その後、ステップＳ１０８の処理へ移行する。
【００５２】
第２通信機器２００の受信データ優先度特定部２０２ｍは、ステップＳ１０６において有線受信制御部２０２ｊにより受信された有線通信データ、及び、ステップＳ１０７において無線受信制御部２０２ｋにより受信された無線通信データに夫々対応する優先度を、第２通信機器２００のデータ優先度情報記憶部に記憶されたデータ優先度情報を参照して特定する。そして、第２通信機器２００のデータ結合部２０２ｎは、受信データ優先度特定部２０２ｍにより特定された有線通信データの優先度及び無線通信データの優先度に基づいて、当該有線通信データと当該無線通信データとを結合することにより、通信データを再構築する（ステップＳ１０８）。ステップＳ１０８において、制御部２０２は、再構築された通信データに異常がないか等の判定を行ってもよい。その後、通信データを出力し本処理を終了する。
【００５３】
続いて、有線無線複合通信システム１において実行される有線無線複合通信方法の別の一例の詳細について、以下に図７を参照して説明する。
【００５４】
図７に示すように、第１通信機器１００のデータ種別判定部１０２ａは、第１通信機器１００から第２通信機器２００へ送信するために、入力された通信データの種別を判定する。そして、第１通信機器１００の送信データ優先度特定部１０２ｂは、第１通信機器１００のデータ優先度情報テーブル１０８ａに記憶されたデータ優先度情報を参照し、データ種別判定部１０２ａにより判定された通信データの種別に対応する優先度を特定する。そして、データ分割部１０２ｃは、送信データ優先度特定部１０２ｂにより特定された優先度に基づいて、優先度の高い通信データと優先度の低い通信データとに分割する（ステップＳ２０１）。
【００５５】
ステップＳ２０１の処理において、ステップＳ２０１の処理にて一旦有線通信を用いると判定されて分割された優先度の高い通信データについては、第１通信機器１００のデータ残量予測部１０２ｈは、ステップＳ２０１においてデータ分割部１０２ｃにより分割された優先度の高い通信データのデータ量（図７において、データ量：Ｄ０）に基づいて、第１有線通信インターフェース部１０４を介して第２通信機器２００へ送信可能なデータ残量（図７において、データ量：ＤＡ）を予測する（ステップＳ２０２）。そして、ステップＳ２０２において予測された第２通信機器２００へ送信可能なデータ残量（データ量：ＤＡ）の情報をステップＳ２０３の判定処理で用いる。
【００５６】
ステップＳ２０１の処理において、ステップＳ２０１の処理にて一旦無線通信を用いると判定されて分割された優先度の低い通信データについては、第１通信機器１００のデータ量判定部１０２ｉは、ステップＳ２０１においてデータ分割部１０２ｃにより分割された優先度の低い通信データのデータ量（図７において、データ量：Ｄ１）が、データ残量予測部１０２ｈにより予測されたデータ残量（データ量：ＤＡ）よりも小さいか否かを判定する（ステップＳ２０３）。
【００５７】
ステップＳ２０３において、データ量判定部１０２ｉの処理により、優先度の低い通信データのデータ量（データ量：Ｄ１）がデータ残量（データ量：ＤＡ）よりも小さいと判定された場合（ＤＡ＞Ｄ１）、第１通信機器１００の有線通信データ生成部１０２ｄは、有線通信のみを使用してデータ通信を行うための処理としてステップＳ２０６の処理を行う。具体的には、第１通信機器１００の有線通信データ生成部１０２ｄは、ステップＳ２０１においてデータ分割部１０２ｃにより分割された優先度の高い通信データ（データ量：Ｄ０）と優先度の低い通信データ（データ量：Ｄ１）とを共に、有線通信データとして生成する（ステップＳ２０６）。そして、第１通信機器１００の有線送信制御部１０２ｅは、ステップＳ２０６において有線通信データ生成部１０２ｄにより生成された有線通信データを、第１有線通信インターフェース部１０４を介して第２通信機器２００へ送信する（ステップＳ２０７）。そして、第２通信機器２００の有線受信制御部２０２ｊは、ステップＳ２０７において第１通信機器１００から有線送信制御部１０２ｅにより送信された有線通信データを、第２有線通信インターフェース部２０４を介して受信する（ステップＳ２１０）。その後、ステップＳ２１２の処理へ移行するが、有線通信のみを使用してデータ通信を行う場合は、後述するマーク・ビットが有線通信データに付加されていないため、ステップＳ２１２の処理はパスされて、ステップＳ２１４の処理へ移行する。そして、有線通信のみを使用してデータ通信を行う場合は、第２通信機器２００の制御部２０２は、有線通信データに含まれる優先度の高い通信データ（データ量：Ｄ０）と優先度の低い通信データ（データ量：Ｄ１）のデータ結合を行うわけではなく、通信データに異常がないか等の判定を行うものとする。その後、データを出力し本処理を終了する。
【００５８】
ここで、ステップＳ２０３の処理に戻り、データ量判定部１０２ｉの処理により、優先度の低い通信データのデータ量（データ量：Ｄ１）がデータ残量（データ量：ＤＡ）以上であると判定された場合（ＤＡ≦Ｄ１）、第１通信機器１００の有線通信データ生成部１０２ｄは、有線通信と無線通信を併用してデータ通信を行うための処理としてステップＳ２０４の処理を行う。具体的には、第１通信機器１００のデータ分割部１０２ｃは、データ残量（データ量：ＤＡ）に対応するデータ量に達するまで（Ｄ０＋Ｄ１＝ＤＡ）は、優先度の高い通信データ（データ量：Ｄ０）に加えて優先度の低い通信データを一部（データ量：ＤＡ−Ｄ０＝Ｄ１）含むように、ステップＳ２０１において分割された優先度の低い通信データ（データ量：Ｄ１）を再度分割する（ステップＳ２０４）。続いて、第１通信機器１００の制御部１０２は、ステップＳ２０４においてデータ分割部１０２ｃにより再度分割された優先度の低い通信データを一部（データ量：ＤＡ−Ｄ０＝Ｄ１）含む有線通信用の通信データ（データ量：ＤＡ）に対して、マーク・ビットを付与する（ステップＳ２０５）。例えば、制御部１０２は、ステップＳ２０１の処理では無線通信用の通信データであった優先度の低い通信データの一部について、有線通信用の通信データに加えるために再度分割した位置にマーク・ビットを付与する。このマーク・ビットは、通信データを受信側でデータ結合する際に用いられる。その後、ステップＳ２０６の処理へ移行する。
【００５９】
このように有線通信と無線通信を併用してデータ通信を行う場合には、第１通信機器１００の有線通信データ生成部１０２ｄは、ステップＳ２０４においてデータ分割部１０２ｃにより再度分割された優先度の低い通信データの一部（データ量：ＤＡ−Ｄ０＝Ｄ１）を、ステップＳ２０１にて分割された優先度の高い通信データ（データ量：Ｄ０）に加えて有線通信データ（データ量：ＤＡ）として生成する（ステップＳ２０６）。そして、第１通信機器１００の有線送信制御部１０２ｅは、ステップＳ２０６において有線通信データ生成部１０２ｄにより生成された有線通信データを、第１有線通信インターフェース部１０４を介して第２通信機器２００へ送信する（ステップＳ２０７）。そして、第２通信機器２００の有線受信制御部２０２ｊは、ステップＳ２０７において第１通信機器１００から有線送信制御部１０２ｅにより送信された有線通信データを、第２有線通信インターフェース部２０４を介して受信する（ステップＳ２１０）。その後、ステップＳ２１２の処理へ移行する。
【００６０】
第２通信機器２００の制御部２０２は、ステップＳ２１０において有線受信制御部２０２ｊにより受信された有線通信データに対して付与されたマーク・ビットに基づいて、ステップＳ２１１において受信される無線通信データと再結合するためのデータ（すなわち、ステップＳ２０６において有線通信データに追加した再分割データ）を抽出する（ステップＳ２１２）。その後、ステップＳ２１３の処理へ移行する。
【００６１】
ここで、ステップＳ２０４の処理の後、第１通信機器１００の無線通信データ生成部１０２ｆは、ステップＳ２０４においてデータ分割部１０２ｃにより再度分割された際に優先度の高い通信データに加えられなかった優先度の低い通信データの残りについては、無線通信データとして生成する（ステップＳ２０７）。そして、第１通信機器１００の無線送信制御部１０２ｇは、ステップＳ２０７において無線通信データ生成部１０２ｆにより生成された無線通信データを、第１無線通信インターフェース部１０６を介して第２通信機器２００へ送信する（ステップＳ２０９）。そして、第２通信機器２００の無線受信制御部２０２ｋは、ステップＳ２０９において第１通信機器１００から無線送信制御部１０２ｇにより送信された無線通信データを、第２無線通信インターフェース部２０６を介して受信する（ステップＳ２１１）。その後、ステップＳ２１３の処理へ移行する。
【００６２】
第２通信機器２００のデータ結合部２０２ｎは、ステップＳ２０４において再度分割された際に残ったデータと、ステップＳ２１２において抽出された再分割データとを結合する（ステップＳ２１３）。具体的には、第２通信機器２００のデータ結合部２０２ｎは、ステップＳ２１１において無線受信制御部２０２ｋにより受信された無線通信データと、ステップＳ２１２において有線通信データから抽出された優先度の低い通信データの一部とを、結合する。そして、第２通信機器２００のデータ結合部２０２ｎは、ステップＳ２１２において有線通信データから抽出されなかった残りの優先度の高い通信データと、ステップＳ２１３において再結合した優先度の低い通信データとを結合させる（ステップＳ２１４）。ステップＳ２１４において、制御部２０２は、再構築された通信データに異常がないか等の判定を行ってもよい。その後、データを出力し本処理を終了する。
【００６３】
このように図７に示した処理では、基本的には有線通信によりデータ通信を行い、データ量がオーバーフローした場合には、無線通信で補完する通信システムを実現している。この場合の有線通信と無線通信との使い分けに関しては、以下に示すような場合分けが考えられ得る。有線通信によりデータ通信を行う対象としては、例えば、マルチメディア系機器群に関する通信データのうち、ラジオ等の音声信号、ワンセグＴＶ等の映像信号、フルセグＴＶの一部等に対応する映像信号などである。この場合、無線通信によりデータ通信を行う対象としては、例えば、マルチメディア系機器群に関する通信データのうち、フルセグＴＶの残り等に対応する映像信号などである。この他、ＥＣＵの更新ソフトやナビゲーション用の地図データ等のダウンロードデータを、基本的には有線通信によりデータ通信を行い、データ量がオーバーフローした場合には、無線通信で補完してもよい。
【００６４】
以上説明したように、本発明に係る有線無線複合通信システム及び有線無線複合通信方法によれば、車両内に設けられた通信機器間で送受信される通信データの種別のうち、優先度の高い通信データについては有線通信を用い、優先度の低い通信データについては無線通信を用いるように制御することができる。これにより、データ通信の信頼性の向上を図るために、車両内に設けられた全ての通信機器間を大容量データ通信が可能な高価な通信線で接続する必要がなくなり、データ通信の信頼性を担保しつつも、車両内における通信線の簡易化を図ることができる。その結果、車両内に設けられた通信機器間で種々の通信データを有線と無線の複合通信により送受信する場合において、データ通信の信頼性を向上しつつも、有線の安価化を実現することができる。このように、本発明に係る有線無線複合通信システム及び有線無線複合通信方法によれば、車両内に設けられた通信機器間で種々の通信データを有線と無線の複合通信により適切に送受信することができる。
【００６５】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００６６】
例えば、上述の説明では、第１通信機器と第２通信機器とが同じ機能を有するものとして説明したがこれに限定されない。第１通信機器及び第２通信機器のうちいずれか一方が、送信側の通信機器が必要とする機能を有し、いずれか他方が、受信側の通信機器が必要とする機能を有する構成であってもよい。送信側の通信機器が必要とする機能とは、例えば、データ種別判定部、送信データ優先度特定部、データ分割部、有線通信データ生成部、有線送信制御部、無線通信データ生成部、無線送信制御部、データ残量予測部、データ量判定部等による機能である。受信側の通信機器が必要とする機能とは、例えば、有線受信制御部、無線受信制御部、受信データ優先度特定部、データ結合部等による機能である。
【符号の説明】
【００６７】
１  有線無線複合通信システム
１０  車両
１００  第１通信機器
１０２  制御部
１０２ａ  データ種別判定部
１０２ｂ  送信データ優先度特定部
１０２ｃ  データ分割部
１０２ｄ  有線通信データ生成部
１０２ｅ  有線送信制御部
１０２ｆ  無線通信データ生成部
１０２ｇ  無線送信制御部
１０２ｈ  データ残量予測部
１０２ｉ  データ量判定部
１０２ｊ  有線受信制御部
１０２ｋ  無線受信制御部
１０２ｍ  受信データ優先度特定部
１０２ｎ  データ結合部
１０４  第１有線通信インターフェース部
１０６  第１無線通信インターフェース部
１０８  記憶部
１０８ａ  データ優先度情報テーブル
２００  第２通信機器
２０２  制御部
２０２ａ  データ種別判定部
２０２ｂ  送信データ優先度特定部
２０２ｃ  データ分割部
２０２ｄ  有線通信データ生成部
２０２ｅ  有線送信制御部
２０２ｆ  無線通信データ生成部
２０２ｇ  無線送信制御部
２０２ｈ  データ残量予測部
２０２ｉ  データ量判定部
２０２ｊ  有線受信制御部
２０２ｋ  無線受信制御部
２０２ｍ  受信データ優先度特定部
２０２ｎ  データ結合部
２０４  第２有線通信インターフェース部
２０６  第２無線通信インターフェース部
２０８  記憶部
２０８ａ  データ優先度情報テーブル
【図１】
0006356168.tif 000002
【図２】
0006356168.tif 000003
【図３】
0006356168.tif 000004
【図４】
0006356168.tif 000005
【図５】
0006356168.tif 000006
【図６】
0006356168.tif 000007
【図７】
0006356168.tif 000008